(57)【要約】【課題】電子機器を遠隔操作するためのリモコン装置において、電子機器本体に付与された情報記憶媒体（ＩＣタグ）からリモコン情報を取得してリモコン装置に設定できるようにする。【解決手段】リモコン２は、電子機器１を遠隔操作するためのリモコン情報を記憶し且つ電子機器１に付与されたＩＣタグ１０と通信するＩＣタグ通信部２３、複数の操作キーが設けられた操作入力部２４、ＩＣタグ１０からリモコン情報を取得してリモコン２に設定するマイコン２１を備える。リモコン情報は、電子機器１が備える各機能を制御するための各制御コマンドに対応したリモコンコード、該リモコンコードの割り当て先となる操作入力部２４の操作キーを指定するための割当先指定情報を少なくとも含み、マイコン２１は、前記割当先指定情報に従って、前記リモコンコードを操作入力部２４の操作キーに割り当てて設定する。【選択図】図１
2006197377.tif 000002
【特許請求の範囲】
【請求項１】
電子機器を遠隔操作するためのリモートコントロール装置において、該リモートコントロール装置は、前記電子機器を遠隔操作するためのリモコン情報を記憶し且つ前記電子機器に設けられた情報記憶媒体と通信する通信手段と、該情報記憶媒体からリモコン情報を取得する手段と、該取得したリモコン情報を前記リモートコントロール装置に設定する設定手段とを備えていることを特徴とするリモートコントロール装置。
【請求項２】
請求項１に記載のリモートコントロール装置において、複数の操作キーが設けられた操作入力手段を備え、前記リモコン情報は、前記電子機器が備える各機能を制御するための各制御コマンドに対応したリモコンコード、該リモコンコードの割り当て先となる前記操作入力手段の操作キーを指定するための割当先指定情報を少なくとも含むことを特徴とするリモートコントロール装置。
【請求項３】
請求項２に記載のリモートコントロール装置において、前記設定手段は、前記割当先指定情報に従って、前記リモコンコードを前記操作入力手段の操作キーに割り当てて設定することを特徴とするリモートコントロール装置。
【請求項４】
請求項１乃至３のいずれか１に記載のリモートコントロール装置において、前記情報記憶媒体は、ＩＣタグで構成され、前記通信手段は、前記ＩＣタグと無線を介して通信することを特徴とするリモートコントロール装置。
【請求項５】
請求項４に記載のリモートコントロール装置において、前記電子機器あるいは他の外部機器と赤外線を介して通信するための赤外線通信手段と、前記通信手段と前記赤外線通信手段を切り替える手段とを備えていることを特徴とするリモートコントロール装置。
【請求項６】
請求項４に記載のリモートコントロール装置において、前記電子機器あるいは他の外部機器と電波を介して通信するための電波通信手段と、前記通信手段と前記電波通信手段を切り替える手段とを備えていることを特徴とするリモートコントロール装置。
【請求項７】
請求項４に記載のリモートコントロール装置において、前記電子機器あるいは他の外部機器と赤外線を介して通信するための赤外線通信手段と、前記電子機器あるいは他の外部機器と電波を介して通信するための電波通信手段と、前記通信手段と前記赤外線通信手段と前記電波通信手段を切り替える手段とを備えていることを特徴とするリモートコントロール装置。
【請求項８】
請求項６又は７に記載のリモートコントロール装置において、前記電波通信手段で使用する周波数帯域は、前記通信手段で使用する周波数帯域と異なることを特徴とするリモートコントロール装置。
【請求項９】
請求項１乃至８のいずれか１に記載のリモートコントロール装置と通信可能な情報記憶媒体を設けた電子機器。
【発明の詳細な説明】
【技術分野】
【０００１】
本発明は、リモートコントロール装置及び電子機器、より詳細には、電子機器に設けられた非接触ＩＣタグと通信し、該非接触ＩＣタグからリモコン情報を取得可能なリモートコントロール装置及び非接触ＩＣタグを設けた電子機器に関する。
【背景技術】
【０００２】
従来のリモートコントロール装置（以下、リモコン）では、主に赤外ＬＥＤと赤外リモコン用の受光ＩＣとを用いて、両者で一致する搬送波の伝送信号を変復調して通信する方式がとられている。このようなリモコンの中には、１つのリモコンで複数の電子機器を操作可能な所謂マルチリモコンと呼ばれているものがある。このようなマルチリモコンで操作可能な電子機器には、例えば、テレビジョン装置，ＤＶＤレコーダ，ＶＴＲ，オーディオ機器などのＡＶ機器をはじめ、エアコン，蛍光灯，扇風機などがある。
【０００３】
通常、リモコン操作可能な電子機器には、メーカ／機器／機能（例えば、○○社製の２０００年式テレビジョン装置の電源操作など）に応じて固有のリモコン情報が割り当てられており、このリモコン情報をマルチリモコンの所定の操作キーに割り当てて設定することにより、当該マルチリモコンから複数の電子機器を操作することができる。このマルチリモコンは、リモコン情報を設定するためのメモリを備えており、操作対象とする電子機器の専用リモコンに向き合わせた状態で、赤外線通信を利用して上記リモコン情報をメモリしていた。
【０００４】
上記赤外線通信の代わりに、各種情報を記憶可能な小型の非接触ＩＣタグを用いて無線通信を行う通信方式が実現されている。例えば、特許文献１には、ユーザが電子装置を使用する際に、ユーザが所持するユーザの個人情報を記憶したＩＣタグと電子装置とが無線通信を行い、ユーザの個人情報を電子装置が自動的に読み取り、該個人情報に基づいて電子装置を自動的にユーザに応じてカスタマイズ設定するようにしたものが開示されている。また、特許文献２には、機器システムにおけるリモコンに非接触ＩＣカードチップを内蔵して機器とリモコン間で無線通信を行えるようにしたリモートコントロールシステムが開示されている。
【特許文献１】特開２００３−１６９２４７号公報
【特許文献２】特開２００４−１２０６４１号公報
【発明の開示】
【発明が解決しようとする課題】
【０００５】
ここで、上述したマルチリモコンにおいて、操作対象とする電子機器の専用リモコンをユーザが紛失等した場合に、当該電子機器のリモコン情報を設定することができないため、リモコンによる操作を行えないという事態を招来してしまう。
【０００６】
上記のごとく事態に対応するために、リモコン情報の取得先として専用リモコンの代わりに、リモコン情報をＩＣタグ等の情報記憶媒体に記憶しておくことが考えられる。これにより、電子機器の専用リモコンが紛失した場合でも、リモコン情報をＩＣタグから取得してリモコン装置への設定が可能となるが、このことは、特許文献１及び特許文献２では考慮されていない。
【０００７】
本発明は、上述のごとき実情に鑑みてなされたものであり、電子機器を遠隔操作するためのリモートコントロール（リモコン）装置において、電子機器本体に付与された情報記憶媒体（ＩＣタグ）からリモコン情報を取得してリモコン装置に設定できるようにすること、を目的としてなされたものである。
【課題を解決するための手段】
【０００８】
上記課題を解決するために、本発明の第１の技術手段は、電子機器を遠隔操作するためのリモートコントロール装置において、該リモートコントロール装置は、前記電子機器を遠隔操作するためのリモコン情報を記憶し且つ前記電子機器に設けられた情報記憶媒体と通信する通信手段と、該情報記憶媒体からリモコン情報を取得する手段と、該取得したリモコン情報を前記リモートコントロール装置に設定する設定手段とを備えていることを特徴としたものである。
【０００９】
第２の技術手段は、第１の技術手段において、複数の操作キーが設けられた操作入力手段を備え、前記リモコン情報は、前記電子機器が備える各機能を制御するための各制御コマンドに対応したリモコンコード、該リモコンコードの割り当て先となる前記操作入力手段の操作キーを指定するための割当先指定情報を少なくとも含むことを特徴としたものである。
【００１０】
第３の技術手段は、第２の技術手段において、前記設定手段は、前記割当先指定情報に従って、前記リモコンコードを前記操作入力手段の操作キーに割り当てて設定することを特徴としたものである。
【００１１】
第４の技術手段は、第１乃至第３のいずれか１の技術手段において、前記情報記憶媒体は、ＩＣタグで構成され、前記通信手段は、前記ＩＣタグと無線を介して通信することを特徴としたものである。
【００１２】
第５の技術手段は、第４の技術手段において、前記電子機器あるいは他の外部機器と赤外線を介して通信するための赤外線通信手段と、前記通信手段と前記赤外線通信手段を切り替える手段とを備えていることを特徴としたものである。
【００１３】
第６の技術手段は、第４の技術手段において、前記電子機器あるいは他の外部機器と電波を介して通信するための電波通信手段と、前記通信手段と前記電波通信手段を切り替える手段とを備えていることを特徴としたものである。
【００１４】
第７の技術手段は、第４の技術手段において、前記電子機器あるいは他の外部機器と赤外線を介して通信するための赤外線通信手段と、前記電子機器あるいは他の外部機器と電波を介して通信するための電波通信手段と、前記通信手段と前記赤外線通信手段と前記電波通信手段を切り替える手段とを備えていることを特徴としたものである。
【００１５】
第８の技術手段は、第６又は第７の技術手段において、前記電波通信手段で使用する周波数帯域は、前記通信手段で使用する周波数帯域と異なることを特徴としたものである。
【００１６】
第９の技術手段は、第１乃至第８のいずれか１の技術手段におけるリモートコントロール装置と通信可能な情報記憶媒体を設けた電子機器である。
【発明の効果】
【００１７】
本発明によれば、電子機器を遠隔操作するためのリモコン装置において、電子機器本体に付与された情報記憶媒体（ＩＣタグ）からリモコン情報を取得してリモコン装置に設定することができるため、操作対象とする電子機器のリモコンを紛失した場合でもリモコン操作を行うことができる。また、電子機器が備える各機能の割り当て先（操作キー）を指定する割当先指定情報を取得することにより、当該電子機器の機能（例えば、チャンネルアップ／ダウン、音量アップ／ダウン、電源オン／オフなど）を所定の操作キーへ自動的に割り当てることができる。
【発明を実施するための最良の形態】
【００１８】
図１は、本発明の一実施形態に係るＩＣタグを利用したリモートコントロールシステムの構成例を示すブロック図で、図中、１は遠隔操作の対象となる電子機器、２は電子機器１を遠隔操作するリモートコントロール装置（以下、リモコンという）を示す。電子機器１は、電子機器１を遠隔操作するために必要なリモコン情報を記憶し且つ電子機器１に設けられた情報記憶媒体（以下、ＩＣタグ）１０、電子機器１を制御するためのマイクロコンピュータ（以下、マイコン）１１、電子機器１の制御プログラムや各種データなどを記憶するメモリ１２を備えている。
【００１９】
また、リモコン２は、リモコン２を制御するためのマイコン２１、リモコン２の制御プログラムや各種データなどを記憶するメモリ２２、ＩＣタグ１０と無線を介して通信してリモコン情報を取得する（読み取る）ＩＣタグ通信部２３、複数の操作キーを備える操作入力部２４、ユーザにより押下された操作キーに対応する操作信号を電子機器１に送信する操作信号送信部２５を備えている。尚、本例では、リモコン２が１つの電子機器１のＩＣタグ１０と通信を行う場合について示しているが、電子機器１は複数あってもよく、この場合、各電子機器１のリモコン情報を記憶したＩＣタグ１０を各電子機器１に付与しておけばよい。これにより、リモコン２を用いて、例えば、テレビジョン装置，ＤＶＤレコーダ，ＶＴＲ，オーディオ機器，エアコンなどの異なる複数の機器を遠隔操作することができる。
【００２０】
図２は、ＩＣタグ１０の概略構成例を示すブロック図で、ＩＣタグ１０は、ＲＦ回路１０ａ，制御回路１０ｂ，メモリ１０ｃを備えている。ＩＣタグ１０は、ＲＦＩＤの素子であり、各種データ等を格納可能な小型の記憶媒体である。このＩＣタグ１０は通常電源を備えていないため、リモコン２からの電波を受信して、電磁誘導などの方法で電力を発生させる。また、ＩＣタグ１０はマイコン１１と通信可能に接続されていてもよい。この場合、電子機器１のリモコン情報をマイコン１１からＩＣタグ１０に送って記憶させておくことができる。
【００２１】
ＲＦ回路１０ａ及びメモリ１０ｃは、各々制御回路１０ｂに接続される。ＲＦ回路１０ａは、図１に示したリモコン２からの電波を受信するためのアナログ回路であり、制御回路１０ｂはＲＦ回路１０ａを介して変調処理及び復調処理するなどのデータ処理を行うデジタル回路である。メモリ１０ｃには、後述の図４に示すように、電子機器１を遠隔操作するために必要なリモコン情報が記憶されている。このリモコン情報は、予めメモリ１０ｃに記憶され、例えば、電子機器１が備える各機能を制御するための各制御コマンドに対応したリモコンコード，そのリモコンコードの割り当て先となる操作入力部２４の操作キーを指定するための割当先指定情報，電子機器（テレビジョン装置，ＤＶＤレコーダ，ＶＴＲ，エアコンなど）の種別を示すカテゴリ情報，製造メーカ（○○社，××社など）の種別を示すメーカコードなどを含むものとする。尚、上記電子機器の中にはその製造年（〜１９９０年までの製造品，１９９１年〜現在の製造品など）によってリモコンコードが異なるものもある。
【００２２】
図３は、リモコン２の概略構成例を示すブロック図で、リモコン２は、マイコン２１，メモリ２２，ＩＣタグ通信部２３，操作入力部２４，操作信号送信部２５を備え、電子機器（本例ではテレビジョン装置）１に付与されたＩＣタグ１０との間で無線を介して通信を行うことができる。ＩＣタグ通信部２３は、送信データに対する所定の変調処理を行う変調回路２３ａ、変調された変調電波をＩＣタグ１０に送信する送信制御部２３ｂ、ＲＦ反応に応じてＩＣタグ１０から返信されるリモコン情報を受信する受信制御部２３ｃ、受信した変調電波に対する所定の復調処理を行う復調回路２３ｄ、ＩＣタグ１０との通信を送信制御部２３ｂ及び受信制御部２３ｃを介して行うためのアンテナ２３ｅから構成されている。
【００２３】
操作信号送信部２５は、例えば、従来の赤外線送信方式や電波送信方式などを利用して操作信号を電子機器１に対して送信するようにしてもよい。尚、電波送信方式を利用する場合、ＩＣタグとの通信に使用する無線の周波数帯域と重ならないように、操作信号の送信に使用する周波数帯域を決定するようにする。さらに、電子機器１への操作信号の送信方式として、例えば、特開２００４−１２０６４１号公報に記載の発明のように、赤外線送信方式や電波送信方式の代わりに、ＩＣタグ方式を利用してもよい。
【００２４】
ここで、マイコン２１は、ＩＣタグ１０から取得したリモコン情報をリモコン２に設定する手段を構成する。例えば、マイコン２１は、リモコン情報に含まれる割当先指定情報に従って、電子機器１の各機能に対応するリモコンコードを、操作入力部２４の操作キーに割り当てて設定するようにしてもよい。これにより、ユーザは、電子機器１の専用リモコンが紛失した場合でも、リモコン２へのリモコン情報の設定処理を容易且つ迅速に行うことができる。
【００２５】
図４は、ＩＣタグ１０に記憶されているリモコン情報の一例を示す図である。
図４（Ａ）はリモコン情報の一例を示す図である。本例に示すリモコン情報は、前述したように、電子機器１が備える各機能を制御するための各制御コマンドに対応したリモコンコード，そのリモコンコードの割り当て先となる操作入力部２４の操作キーを指定するための割当先指定情報，電子機器１の種別を示すカテゴリ情報などを含むものとする。
【００２６】
図４（Ｂ）は、電子機器１の種別に応じたカテゴリ情報の設定状態の一例を示す図である。本例では、テレビジョン装置が“１”、ＤＶＤレコーダが“２”、ＶＴＲが“３”に設定されている。また、図４（Ｃ）は、電子機器１の機能に応じた割当先指定情報の設定状態の一例を示す図である。本例では、電源が“１”、チャンネルアップが“２”、チャンネルダウンが“３”に設定されている。
【００２７】
図５は、リモコン２によるリモコン情報の設定処理の一例を示す図である。本例では、図４（Ａ）乃至図４（Ｃ）に示したリモコン情報を取得してリモコン２に設定する例について説明する。例えば、リモコンコードの“１”は、テレビジョン装置（カテゴリ情報“１”）の電源を制御する制御コマンドに対応するコード情報を示す。マイコン２１は、リモコン情報に含まれる割当先指定情報“１”に従って、電子機器１（すなわち、テレビジョン装置）の電源制御コマンドに対応するリモコンコード“１”を、操作入力部２４の操作キーに割り当てて設定する。この設定情報はメモリ２２に記憶される。尚、割当先指定情報は、操作入力部２４の操作キーに対応しており、例えば、割当先指定情報が“１”の場合、この“１”に対応する操作キーに自動的に割り当てられる。
【００２８】
また、リモコン２は、上記カテゴリ情報により、リモコン２のモードを切り替えて、モード毎にリモコン情報の設定を行うようにしてもよい。このモード切り替え処理はマイコン２１により実行される。ここで、モードとは電子機器１のカテゴリ情報により設定され、例えば、リモコン２の操作対象とする電子機器１に応じてテレビモード，ＤＶＤレコーダモード，ＶＴＲモードなどを設定することができる。
【００２９】
また、電子機器１をリモコン２から操作する場合、ユーザは操作対象とする電子機器１に応じたモードに切り替えて、そのモードにおいて所望の操作キーを押下すると、操作信号が電子機器１に送信され、モードに応じた電子機器１を操作することができる。
【００３０】
本発明によれば、電子機器を遠隔操作するためのリモコン装置において、電子機器本体に付与されたＩＣタグからリモコン情報を取得してリモコン装置に設定することができるため、操作対象とする電子機器のリモコンを紛失した場合でもリモコン操作を行うことができる。また、電子機器が備える各機能の割り当て先（操作キー）を指定する割当先指定情報を取得することにより、当該電子機器の機能（例えば、チャンネルアップ／ダウン、音量アップ／ダウン、電源オン／オフなど）を所定の操作キーへ自動的に割り当てることができる。
【００３１】
図６は、本発明の他の実施形態に係るＩＣタグを利用したリモートコントロールシステムの構成例を示すブロック図で、リモコン２は、図１に示した構成に加えて、さらに、電子機器１あるいは他の外部機器と赤外線を介して通信するための赤外線通信部２６，電子機器１あるいは他の外部機器と電波を介して通信するための電波通信部２７を備えている。また、別の実施形態として、ＩＣタグ通信部２３と赤外線通信部２６、あるいは、ＩＣタグ通信部２３と電波通信部２７の組み合わせとしてもよい。
【００３２】
図６において、リモコン２は、リモコン情報を取得するための通信手段として、ＩＣタグ通信部２３のみを備える構成、ＩＣタグ通信部２３と赤外線通信部２６を備える構成、ＩＣタグ通信部２３と電波通信部２７を備える構成、ＩＣタグ通信部２３と赤外線通信部２６と電波通信部２７を備える構成のいずれかの構成をとることができ、通信対象とする機器等との距離やその構成に応じて各通信部を切り替えて通信するようにしてもよい。この際、操作入力部２４に設けられた通信方式切り替えキー（図示せず）などにより任意の通信方式に切り替えることができる。尚、電波通信部２７を備える場合、電波通信部２７で使用する周波数帯域は、ＩＣタグ通信部２３で使用する周波数帯域と異なるようにして、誤動作を防止できるようにしておく。
【００３３】
上述した他の外部機器としては、例えば、電子機器１のリモコン情報を記憶した専用リモコンなどの機器や、リモコン情報を記憶した記憶媒体などが想定される。但し、上述した電子機器１や他の外部機器などの通信対象機器は、リモコン２との間で赤外線通信や電波通信を行うための通信手段を備えておく必要がある。
【００３４】
ここで、リモコン２と通信対象機器との距離に応じてリモコン２の通信方式を切り替えるようにしてもよい。すなわち、近距離（例えば、数１０ｃｍ〜１ｍ程度）時には、ＩＣタグ方式を利用し、遠距離（例えば、約２ｍ〜３０ｍ程度）の場合、赤外線通信方式あるいは電波方式を利用するようにしてもよい。また、通信対象機器の構成に応じてリモコン２の通信方式を切り替えるようにしてもよい。すなわち、通信対象機器にＩＣタグが付与されているかどうか、通信対象機器が赤外線及び／又は電波を介して通信するための手段を備えているかどうかに応じて通信方式を切り替えるようにしてもよい。
【００３５】
本発明によれば、ＩＣタグ通信方式に加えて、赤外線通信方式や電波通信方式による通信を可能とし、これらの通信方式を切り替えて利用することができるため、リモコンと通信対象機器との距離や、通信対象機器の構成に応じて最適な通信方式を選択することができる。
【図面の簡単な説明】
【００３６】
【図１】本発明の一実施形態に係るＩＣタグを利用したリモートコントロールシステムの構成例を示すブロック図である。
【図２】ＩＣタグの概略構成例を示すブロック図である。
【図３】リモコンの概略構成例を示すブロック図である。
【図４】ＩＣタグに記憶されているリモコン情報の一例を示す図である。
【図５】リモコンによるリモコン情報の設定処理の一例を示す図である。
【図６】本発明の他の実施形態に係るＩＣタグを利用したリモートコントロールシステムの構成例を示すブロック図である。
【符号の説明】
【００３７】
１…電子機器、２…リモートコントロール装置（リモコン）、１０…情報記憶媒体（ＩＣタグ）、１０ａ…ＲＦ回路、１０ｂ…制御回路、１１，２１…マイクロコンピュータ（マイコン）、１０ｃ，１２，２２…メモリ、２３…ＩＣタグ通信部、２３ａ…変調回路、２３ｂ…送信制御部、２３ｃ…受信制御部、２３ｄ…復調回路、２３ｅ…アンテナ、２４…操作入力部、２５…操作信号送信部、２６…赤外線通信部、２７…電波通信部。
【図１】
2006197377.tif 000003
【図２】
2006197377.tif 000004
【図３】
2006197377.tif 000005
【図４】
2006197377.tif 000006
【図５】
2006197377.tif 000007
【図６】
2006197377.tif 000008